(57)【特許請求の範囲】
【請求項１】
一端側に接続されたコンポジットビデオ信号を取り扱うプラグと、Ｙ（輝度信号）／Ｃ（搬送色信号）を分離して取り扱うプラグと、左右の音声信号を取り扱う２つのプラグとの４つのプラグを他端側で１つとして取り扱うマルチプラグにおいて、
前記一端側の各プラグと対応する各信号を取り扱う複数の端子は２列×５ピンから成り、各列の一方端の２ピンそれぞれで前記音声信号の左右を取り扱い、各列の他方端の２ピンそれぞれで前記Ｙ（輝度信号）と前記Ｃ（搬送色信号）とを取り扱い、前記Ｙ（輝度信号）を取り扱うピンと隣接するピンで前記コンポジットビデオ信号を取り扱い、各列の中央となる２ピンそれぞれを接地として取り扱う
ことを特徴とするマルチプラグ。
【請求項２】
請求項１記載のマルチプラグと嵌合されるマルチジャックにおいて、
前記マルチプラグと対応した２列×５ピンから成る複数の端子を備えており、  前記複数の端子における各列の一方端の２ピンそれぞれで前記音声信号の左右を取り扱い、各列の他方端の２ピンそれぞれで前記Ｙ（輝度信号）と前記Ｃ（搬送色信号）とを取り扱い、前記Ｙ（輝度信号）を取り扱うピンと隣接するピンで前記コンポジットビデオ信号を取り扱い、各列の中央となる２ピンそれぞれを接地として取り扱う
ことを特徴とするマルチジャック。
【発明の詳細な説明】
【０００１】
【発明の属する技術分野】
本発明は、一端側に設けられた複数のプラグを他端側で１つとして取り扱うマルチプラグおよびそれに対応したマルチジャックに関する。
【０００２】
【従来の技術】
従来、ビデオカメラで撮った映像や音声をテレビビジョン（以下、単に「テレビ」と言う。）等の表示装置へ送って再生する場合、ビデオカメラに設けられた映像および音声の出力端子と、テレビ等の表示装置に設けられた映像および音声の入力端子とをケーブルによって接続し、ビデオカメラで記録した各種信号を表示装置へ送るようにしている。
【０００３】
ここで、通常のテレビ等の表示装置には、映像および音声信号の入力端子としＥＩＡＪ（日本電子機械工業会）に準拠したＲＣＡ端子（ピンジャック）が設けられており、また映像用のジャックとしてＹ（輝度信号）／Ｃ（搬送色信号）を分離して扱うＳ端子が設けられているものもある。
【０００４】
一方、ビデオカメラ側の出力端子としては種々の形態がある。例えば、筐体の大きさにゆとりがあれば映像および音声信号用のＲＣＡ端子（ピンジャック）を備えていたり、Ｓ端子を備えているものもある。また、筐体が小型のものはコンポジットビデオ信号および音声信号をまとめて１つのジャックにしているものもある。
【０００５】
【発明が解決しようとする課題】
しかしながら、近年のビデオカメラ等の画像入力機器はますます小型化の要求が高まっており、筐体をできる限り小さくすることが望まれている。このため、映像や音声信号を出力するためのピンジャックを複数設けるのは困難である。その一方、テレビ等の表示装置の多くにはピンジャックやＳ端子が標準として装備されており、ピンジャックやＳ端子に対応できるような信号伝送が必要となる。
【０００６】
ここで、上記のように、コンポジットビデオ信号と音声信号とを１つのジャックにまとめているビデオカメラ等の機器もあるが、映像信号の伝送としてＳ端子を用いて表示装置と接続したいこともあるため、ビデオカメラ側にはＳ端子のジャックも別途備える必要があり、機器の小型化の妨げとなっている。
【０００７】
さらに、Ｓ端子を用いて接続を行う場合、映像信号はＳ端子、音声信号については別途のジャックにケーブルを接続する必要があることから、Ｓ端子と上記の音声信号用のジャックとで最低２本のケーブルを繋ぐ必要があり、接続作業の煩わしさや部品点数の増加といった問題が生じる。
【０００８】
【課題を解決するための手段】
本発明は、このような課題に対応するために成されたものである。すなわち、本発明のマルチプラグは、一端側に接続されたコンポジットビデオ信号を取り扱うプラグと、Ｙ（輝度信号）／Ｃ（搬送色信号）を分離して取り扱うプラグと、左右の音声信号を取り扱う２つのプラグとの４つのプラグを他端側で１つとして取り扱うものであり、一端側の各プラグと対応する各信号を取り扱う複数の端子は２列×５ピンから成り、各列の一方端の２ピンそれぞれで前記音声信号の左右を取り扱い、各列の他方端の２ピンそれぞれで前記Ｙ（輝度信号）と前記Ｃ（搬送色信号）とを取り扱い、前記Ｙ（輝度信号）を取り扱うピンと隣接するピンで前記コンポジットビデオ信号を取り扱い、各列の中央となる２ピンそれぞれを接地として取り扱うものである。
【０００９】
また、本発明のマルチジャックは、前記マルチプラグと嵌合されるもので、マルチプラグと対応した２列×５ピンから成る複数の端子を備えており、この複数の端子における各列の一方端の２ピンそれぞれで音声信号の左右を取り扱い、各列の他方端の２ピンそれぞれでＹ（輝度信号）とＣ（搬送色信号）とを取り扱い、各列の中央となる２ピンそれぞれを接地として取り扱うものである。
【００１０】
このような本発明では、コンポジットビデオ信号を扱うプラグと、Ｙ（輝度信号）／Ｃ（搬送色信号）を分離して取り扱うプラグとを含む複数のプラグを１つのマルチプラグで取り扱うことができるため、２つの機器の接続において、一方側の機器としては１つのマルチプラグに対応した１つのマルチジャックのみの装備で筐体の小型化を図ることができる。また、他方側の機器としては標準的なコンポジットビデオ信号およびＹ／Ｃ分離の信号に対応したジャックを備えたものを用いることができるようになる。
【００１１】
【発明の実施の形態】
以下、本発明の実施の形態を図に基づいて説明する。図１は、本実施形態に係るマルチプラグを備えたマルチケーブルを説明する図である。すなわち、このマルチケーブル１は、一端側にコンポジットビデオ信号を取り扱うプラグ１３と、音声信号を取り扱うプラグ１１、１２と、Ｙ（輝度信号）／Ｃ（搬送色信号）を分離して取り扱うプラグ（Ｓ端子）１４とを含む複数のプラグが接続され、他端側にプラグ１１〜１４と対応する各信号を取り扱う１つのマルチプラグ２１が接続されている。
【００１２】
例えば、プラグ１１は赤色の外装で音声信号（右）を取り扱い、プラグ１２は白色の外装で音声信号（左）を取り扱い、プラグ１３は黄色の外装で映像信号（コンポジットビデオ信号）を取り扱うものである。また、プラグ１４はＳ端子でありＹ（輝度信号）とＣ（搬送色信号）とを分離して取り扱うものである。
【００１３】
一方、これらのプラグ１１〜１４をまとめて１つプラグとして取り扱うマルチプラグ２１は、例えば２列×５ピンの計１０ピンから成り、省スペース対応となっている。
【００１４】
このようなマルチケーブル１では、コンポジットビデオ信号およびＹ／Ｃ分離の信号に対応する２つの機器の接続において、一方側の機器としては１つのマルチプラグ２１に対応した１つのジャックのみの装備で筐体の小型化を図ることができるとともに、他方側の機器としては標準的なコンポジットビデオ信号およびＹ／Ｃ分離の信号を取り扱うプラグに対応したジャックを備えたものを用いることができるようになる。
【００１５】
つまり、通常の表示装置にはコンポジットビデオ信号に対応したジャックとＳ端子に対応したジャックおよび音声信号に対応したジャックが設けられていることから、ビデオカメラ等の機器にもこれに対応したジャックが必要となるが、本実施形態のマルチケーブル１を用いることで、ビデオカメラ等の機器には１０ピンのマルチプラグ２１に対応したマルチジャックを１つだけ設ければよく、機器の小型化を図ることができるようになる。しかも、表示装置側との接続には、表示装置に設けられたコンポジットビデオ信号用のジャックもしくはＳ端子用のジャックのいずれかを１本のマルチケーブル１だけで選択できるようになる。
【００１６】
図２は、本実施形態のマルチケーブルの一端側に設けられているプラグを説明する図で、（ａ）はコンポジットビデオ信号および音声信号用のプラグの平面図および正面図、（ｂ）はその断面図、（ｃ）はＳ端子用のプラグの平面図および正面図、（ｄ）はその断面図である。
【００１７】
図２（ａ）、（ｂ）に示すコンポジットビデオ信号および音声信号用のプラグ１１〜１３は、ＥＩＡＪ（日本電子機械工業会）、ＲＣ−６７０３Ａに準拠したピンプラグである。また、図２（ｃ）、（ｄ）に示すＳ端子用のプラグ１４は、４ピンで信号を取り扱うようになっている。なお、図２（ｃ）の正面図に示されるＮｏ．はピン番号を示している。
【００１８】
マルチケーブルの一端側がこのようなプラグ１１〜１４になっていることで、一般的に用いられている表示装置などとの接続が可能となる。
【００１９】
図３は、本実施形態のマルチケーブルの他端側に取り付けられるマルチプラグを説明する図である。このマルチプラグ２１は、先に説明したように２列×５ピンの計１０ピンから構成されている。マルチプラグ２１は、図４に示すマルチジャック２２に接続される。各図に示すＮｏ．は、各々対応するピン番号を示している。
【００２０】
マルチケーブルの他端側にこのようなマルチプラグ２１が接続されていることで、コンポジットビデオ信号、音声信号およびＹ／Ｃ分離信号をまとめて取り扱うことができ、機器側には１つのマルチジャック２２を設ければよく、機器の小型化を図ることができる。
【００２１】
図５は、本実施形態のマルチケーブルの芯線接続対応図である。なお、図５において左側の表がマルチプラグのピン番号と信号種類、右側の表がピンプラグおよびＳ端子用のプラグのピン番号を示している。
【００２２】
すなわち、本実施形態のマルチケーブルは両端の各プラグを５本の同軸ケーブルによって接続している。ここで、マルチプラグのピン配列は、クロストークを考慮して、音声信号を取り扱う端子群と、映像信号を取り扱う端子群とを２列のピン配置の両端に各々設定している。
【００２３】
例えば、音声信号（右）を取り扱う赤色ピンプラグの芯線（ピン）はマルチプラグの６番ピンに接続され、音声信号（左）を取り扱う白色ピンプラグの芯線（ピン）はマルチプラグの１番ピンに接続される。これにより、各音声信号が２列のピン配列の一端側にまとめられる。
【００２４】
一方、コンポジットビデオ信号を取り扱う黄色ピンプラグの芯線（ピン）はマルチプラグの９番ピンに接続され、Ｙ（輝度信号）を取り扱うＳ端子用プラグの３番ピンはマルチプラグの１０番ピンに接続され、Ｃ（搬送色信号）を取り扱うＳ端子用プラグの４番ピンはマルチプラグの５番ピンに接続される。これにより、各映像信号が２列のピン配列の他端側にまとめられる。
【００２５】
また、各ピンプラグのカバー側となる接地は、マルチプラグの８番ピンに接続され、Ｓ端子用プラグの接地となる１番ピン、２番ピンは、マルチプラグの３番ピンに接続される。これにより、接地はマルチプラグのピン配列の中央部分にまとめられる。
【００２６】
また、図４に示すマルチジャック２２は、マルチプラグ２１を嵌合できる形状となっており、マルチプラグ２１のピン配列に対応して２列×５ピンのピン配列を備えている。マルチジャック２２のピン番号は、マルチプラグ２１のピン番号と対称となっており、正面から見て右下を１番ピン、左下を５番ピン、右上を６番ピン、左上を１０番ピンとして順に番号付けされている。
【００２７】
マルチジャック２２では、マルチプラグ２１のピン配列に対応して、音声信号を取り扱う端子群と、映像信号を取り扱う端子群とを２列のピン配置の両端に各々設定している。
【００２８】
例えば、音声信号（右）を取り扱うマルチプラグ２１の６番ピンに対応してマルチジャック２２の６番ピンが設けられ、音声信号（左）を取り扱うマルチプラグ２１の１番ピンに対応してマルチジャック２２の１番ピンが設けられる。これにより、各音声信号が２列のピン配列の一端側にまとめられる。
【００２９】
一方、コンポジットビデオ信号を取り扱うマルチプラグの９番ピンに対応してマルチジャック２２の９番ピンが設けられ、Ｙ（輝度信号）を取り扱うマルチプラグの１０番ピンに対応してマルチジャック２２の１０番ピンが設けられ、Ｃ（搬送色信号）を取り扱うマルチプラグの５番ピンに対応してマルチジャック２２の５番ピンが設けられる。これにより、各映像信号が２列のピン配列の他端側にまとめられる。
【００３０】
また、接地となるマルチプラグ２１の３番ピンおよび８番ピンに対応してマルチジャック２２の３番ピンおよび８番ピンが設けられる。これにより、接地はマルチプラグのピン配列の中央部分にまとめられる。
【００３１】
図６〜図８は、本実施形態のマルチケーブルにおけるクロストークの測定結果を示す図である。クロストークの測定は、テレビ信号ジェネレータ（ソニーテクトロニクス社製ＴＧ７型、ＣＯＬＯＲ  ＢＡＲ  Ａ信号選択）を用いて行い、各図の左列のグラフはＳ端子検出構造有り、右列のグラフはＳ端子検出構造なしとなっている。
【００３２】
先ず、図６は、Ｓ端子プラグ（図１のプラグ１４）のＣ（搬送色信号）を入力し、マルチプラグ２１の９番ピン（コンポジットビデオ信号用端子）、１０番ピン（輝度信号用端子）、１番ピン（左音声信号用端子）、６番ピン（右音声信号用端子）でのクロストーク測定結果である。
【００３３】
また、図７は、Ｓ端子プラグ（図１のプラグ１４）のＹ（輝度信号）を入力し、マルチプラグ２１の９番ピン（コンポジットビデオ信号用端子）、１０番ピン（輝度信号用端子）、１番ピン（左音声信号用端子）、６番ピン（右音声信号用端子）での各クロストーク測定結果である。
【００３４】
また、図８は、コンポジットビデオ信号を取り扱うプラグ（図１のプラグ１３）にコンポジットビデオ信号を入力し、マルチプラグ２１の５番ピン（搬送色信号用端子）、１０番ピン（輝度信号用端子）、１番ピン（左音声信号用端子）、６番ピン（右音声信号用端子）での各クロストーク測定結果である。
【００３５】
このように、マルチプラグ２１のピン配列として、映像信号と音声信号とを離して設定することにより、各クロストークとも４０ｄＢ以上となって実用上問題なく使用できるようになる。
【００３６】
【発明の効果】
以上説明したように、本発明によれば次のような効果がある。すなわち、一般的に用いられている映像（コンポジットビデオ信号）や音声信号を取り扱うピンプラグとＹ（輝度信号）／Ｃ（搬送色信号）を分離して取り扱うプラグとを一つにマルチプラグで取り扱うことができるようになる。これにより、接続の汎用性を損なうことなく、マルチプラグを接続する機器にはマルチジャックのみを設ければよく、機器の小型化および部品点数の削減を図ることが可能となる。また、コンポジットビデオ信号を取り扱う場合と、Ｙ／Ｃ分離信号を取り扱う場合と、音声信号を取り扱う場合とで１本のマルチケーブルだけで済ませることができ、接続作業の煩わしさを解消することが可能となる。また、本発明に係るマルチプラグのピン配列として、映像信号と音声信号とを離して設定することにより、すなわち、マルチプラグのピン配列として、接地はピン配列の中央部分にまとめ、各音声信号はピン配列の一端側に、各映像信号はピン配列の他端側にそれぞれまとめることによって、各種信号のクロストークを４０ｄＢ以上とることができ、実用上問題なく使用することが可能となる。
【図面の簡単な説明】
【図１】本実施形態のマルチプラグを用いたマルチケーブルを説明する図である。
【図２】本実施形態のマルチケーブルの一端側に設けられているプラグを説明する図である。
【図３】本実施形態のマルチケーブルの他端側に取り付けられるマルチプラグを説明する図である。
【図４】マルチジャックを説明する図である。
【図５】本実施形態のマルチケーブルの芯線接続対応図である。
【図６】本実施形態のマルチケーブルにおけるクロストークの測定結果を示す図（その１）である。
【図７】本実施形態のマルチケーブルにおけるクロストークの測定結果を示す図（その２）である。
【図８】本実施形態のマルチケーブルにおけるクロストークの測定結果を示す図（その３）である。
【符号の説明】
１…マルチケーブル、１１〜１４…ピンプラグ、２１…マルチプラグ、２２…マルチジャック
【図１】
0004780367.tif 000002
【図２】
0004780367.tif 000003
【図３】
0004780367.tif 000004
【図４】
0004780367.tif 000005
【図５】
0004780367.tif 000006
【図６】
0004780367.tif 000007
【図７】
0004780367.tif 000008
【図８】
0004780367.tif 000009